(57)【要約】【課題】アンテナ部が構造物に埋め込まれるような場合であっても、送信性能または受信性能を確保しやすい照明器具を提供する。【解決手段】無線信号の送信機能または受信機能を有する照明器具１００であって、光源１２５を有する器具本体１１０と、第１の筐体１２０と、第１の筐体１２０の外部に配置された第２の筐体１３０とを備える。第１の筐体１２０は、光源１２５に電力を供給する電源回路を覆い、第２の筐体１３０は、無線信号を送信または受信するアンテナ部を覆う。【選択図】図３
2015037042.tif 000002
【特許請求の範囲】
【請求項１】
無線信号の送信機能または受信機能を有する照明器具であって、
光源を有する器具本体と、
第１の筐体と、
前記第１の筐体の外部に配置された第２の筐体とを備え、
前記第１の筐体は、前記光源に電力を供給する電源回路を覆い、
前記第２の筐体は、前記無線信号を送信または受信するアンテナ部を覆う
照明器具。
【請求項２】
前記第２の筐体は、さらに、前記アンテナ部による前記無線信号の送信または受信の制御を行う無線制御部を覆う
請求項１に記載の照明器具。
【請求項３】
前記第１の筐体は、さらに、前記アンテナ部による前記無線信号の送信または受信の制御を行う無線制御部を覆う
請求項１に記載の照明器具。
【請求項４】
前記第１の筐体は、金属で構成される
請求項１〜３のいずれか１項に記載の照明器具。
【請求項５】
前記第２の筐体は、絶縁材料で構成される
請求項１〜４のいずれか１項に記載の照明器具。
【請求項６】
前記第１の筐体は、
前記電源回路を覆う本体部と、
前記本体部の一部から延出した板状部とを有し、
前記第２の筐体は、前記板状部に配置される
請求項１〜５のいずれか１項に記載の照明器具。
【請求項７】
無線信号の送信機能または受信機能を有する照明器具の光源に電力を供給する電源装置であって、
第１の筐体と、
前記第１の筐体の外部に配置された第２の筐体とを備え、
前記第１の筐体は、前記光源に電力を供給する電源回路を覆い、
前記第２の筐体は、前記無線信号を送信または受信するアンテナ部を覆う
電源装置。
【請求項８】
前記第２の筐体は、さらに、前記アンテナ部による前記無線信号の送信または受信の制御を行う無線制御部を覆う
請求項７に記載の電源装置。
【請求項９】
前記第１の筐体は、さらに、前記アンテナ部による前記無線信号の送信または受信の制御を行う無線制御部を覆う
請求項７に記載の電源装置。
【発明の詳細な説明】
【技術分野】
【０００１】
本発明は、照明器具に関し、特に、無線通信機能を有する照明器具等に関する。
【背景技術】
【０００２】
従来、埋込型の照明器具として、例えば、ダウンライトやスポットライトのように天井に埋込配設されて下方に光を照射する天井埋込型照明器具、あるいは、地中に埋込配設されて上方に光を照射する地中埋込型照明器具等が知られている。
【０００３】
一方、照明器具を無線制御する場合、通信状態を良好に保つために様々な方法が提案されている（例えば、特許文献1参照）。
【先行技術文献】
【特許文献】
【０００４】
【特許文献１】特開２００６−８０００７号公報
【発明の概要】
【発明が解決しようとする課題】
【０００５】
ところで、埋込型の照明器具を無線制御する場合、無線制御に用いられるアンテナは、美的観点から構造物内に埋め込まれることが望ましい。ここで、埋め込み型の照明器具では、回路部品等は、筐体に覆われた状態で構造物内に埋め込まれることが一般的である。
【０００６】
ここで、アンテナについても、アンテナの保護の観点から筐体に覆われることが望ましいが、このような場合、アンテナの送信性能または受信性能の確保が課題となる。
【０００７】
本発明は、アンテナ部が構造物に埋め込まれるような場合であっても、アンテナ部の送信性能または受信性能を確保しやすい照明器具等を提供する。
【課題を解決するための手段】
【０００８】
上記の課題を解決するために、本発明の一態様に係る照明器具は、無線信号の送信機能または受信機能を有する照明器具であって、光源を有する器具本体と、第１の筐体と、前記第１の筐体の外部に配置された第２の筐体とを備え、前記第１の筐体は、前記光源に電力を供給する電源回路を覆い、前記第２の筐体は、前記無線信号を送信または受信するアンテナ部を覆う。
【０００９】
また、例えば、前記第２の筐体は、さらに、前記アンテナ部による前記無線信号の送信または受信の制御を行う無線制御部を覆ってもよい。
【００１０】
また、例えば、前記第１の筐体は、さらに、前記アンテナ部による前記無線信号の送信または受信の制御を行う無線制御部を覆ってもよい。
【００１１】
また、例えば、前記第１の筐体は、金属で構成されてもよい。
【００１２】
また、例えば、前記第２の筐体は、絶縁材料で構成されてもよい。
【００１３】
また、例えば、前記第１の筐体は、前記電源回路を覆う本体部と、前記本体部の一部から延出した板状部とを有し、前記第２の筐体は、前記板状部に配置されてもよい。
【００１４】
また、本発明の一態様に係る電源装置は、無線信号の送信機能または受信機能を有する照明器具の光源に電力を供給する電源装置であって、第１の筐体と、前記第１の筐体の外部に配置された第２の筐体とを備え、前記第１の筐体は、前記光源に電力を供給する電源回路を覆い、前記第２の筐体は、前記無線信号を送信または受信するアンテナ部を覆う。
【００１５】
また、例えば、前記第２の筐体は、さらに、前記アンテナ部による前記無線信号の送信または受信の制御を行う無線制御部を覆ってもよい。
【００１６】
また、例えば、前記第１の筐体は、さらに、前記アンテナ部による前記無線信号の送信または受信の制御を行う無線制御部を覆ってもよい。
【発明の効果】
【００１７】
本発明に係る照明器具等は、アンテナ部が構造物に埋め込まれるような場合であっても、送信性能または受信性能を確保しやすい。
【図面の簡単な説明】
【００１８】
【図１】図１は、実施の形態１に係る照明器具の外観を示す図である。
【図２】図２は、実施の形態１に係る照明器具を光照射側の反対側から見た図である。
【図３】図３は、実施の形態１に係る照明器具が天井に取り付けられた状態の断面図である。
【図４】図４は、実施の形態１に係る照明器具の機能構成を示すブロック図である。
【図５】図５は、第２の筐体の内部構造を示す模式図である。図５の（ａ）は、第２の筐体がアンテナ部および無線制御部の全部を覆う場合の第２の筐体の内部構造の上面図および側面図である。図５の（ｂ）は、第２の筐体がアンテナ部および無線制御部の一部を覆う場合の、第２の筐体の内部構造の上面図および側面図である。
【図６】図６は、実施の形態２に係る第１の筐体および第２の筐体を模式的に示す図である。図６の（ａ）は、第１の筐体を上面側から見た図であり、図６の（ｂ）は、第１の筐体１２０を側面側から見た図であり、図６の（ｃ）は、第１の筐体を下面側（光出射側）から見た図である。
【図７】図７は、切り欠き部の周辺部分の拡大図である。図７の（ａ１）および（ｂ１）は、第２の筐体が取り付けられていない場合の切り欠き部周辺の拡大図であり、図７の（ａ１）は、第１の筐体を上面側から見た図であり、図７の（ｂ１）は、第１の筐体を側面側から見た図である。図７の（ａ２）および（ｂ２）は、第２の筐体が取り付けられている場合の切り欠き部周辺の拡大図であり、図７の（ａ２）は、第１の筐体を上面側から見た図であり、図７の（ｂ２）は、第１の筐体を側面側から見た図である。
【図８】図８は、第２の筐体を回転可能な状態で保持する板状部の一例を示す図である。図８の（ａ）は、第２の筐体の回転前の状態を示す図であり、図８の（ｂ）は、第２の筐体の回転後の状態を示す図である。
【図９】図９は、無線制御部が第１の筐体内に設けられる場合の照明器具の機能構成を示すブロック図である。
【図１０】図１０は、図６と同様の構成における第２の筐体の配置の別の例を示す図である。図１０の（ａ）は、第１の筐体を上面側から見た図であり、図１０の（ｂ）は、第１の筐体を側面側から見た図であり、図１０の（ｃ）は、第１の筐体を下面側（光出射側）から見た図である。
【発明を実施するための形態】
【００１９】
（本発明の基礎となった知見）
埋込型の照明器具を無線制御する場合、無線制御に用いられるアンテナは、美的外観の観点から、構造物に取り付けられた状態においてユーザがアンテナを視認できないように、構造物内に埋め込まれることが望ましい。
【００２０】
ここで、埋込型の照明器具では、照明器具の一部が天井裏に埋め込まれ、天井裏に埋め込まれる回路部品については、ホコリ等による誤動作および故障を防止するために、筐体に収納される。特に、光源に電力を供給する電源回路は、発火等の事故防止の観点から不燃材料である金属性の筐体に収納されることが一般的である。
【００２１】
したがって、美的外観の観点、および、製造コストの観点からは、アンテナは、電源回路と同一の基板上に実装され、電源回路が収納される金属性の筐体に収納されることが望ましい。
【００２２】
一方で、アンテナは、無線信号の送受信性能を確保できる位置に配置される必要がある。一般的には、アンテナは指向性を有し、アンテナの指向性は、アンテナの周囲の構造や、アンテナの周囲に配置された物体の影響により変動する。
【００２３】
アンテナの配置は、無線制御においては重要な要素となるが、上述のように金属製の筐体内にアンテナが収納される場合、金属性の筐体により電波が反射されるため、無線信号の送受信性能を確保しがたい。
【００２４】
本発明は、このような状況に鑑み、発明者らによってなされたものである。
【００２５】
以下、本発明の実施の形態について、図面を参照しながら説明する。
【００２６】
なお、以下で説明する実施の形態は、いずれも本発明の一具体例を示すものである。以下の実施の形態で示される数値、形状、材料、構成要素、構成要素の配置位置および接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。なお、各図は、模式図であり、必ずしも厳密に図示したものではない。したがって、各図同士において厳密には一致していない部分も存在する。
【００２７】
（実施の形態１）
まず、実施の形態１に係る照明器具の概要について説明する。
【００２８】
図１は、実施の形態１に係る照明器具の外観を示す図である。
【００２９】
図２は、実施の形態１に係る照明器具を光照射側の反対側から見た図である。
【００３０】
図１および図２に示されるように、照明器具１００は、無線信号の送信機能または受信機能を有する器具本体１１０と、第１の筐体１２０と、第１の筐体１２０の外部に配置された第２の筐体１３０とを備える。第１の筐体１２０は、光源に電力を供給する電源回路を覆う。第１の筐体１２０は、本体部１２０ｂと、板状部１２０ａとから構成される。第２の筐体１３０は、無線信号を送信または受信するアンテナ部を覆う。また、照明器具１００は、取り付け用バネ１４０と、取り付け部１５０とを備える。
【００３１】
実施の形態１に係る照明器具１００は、例えば、住宅等の天井１９０に埋込配設されることにより下方（廊下や壁等）に光を照明するダウンライト等の埋込型の照明器具である。照明器具１００は、無線信号の送信機能または受信機能を有し、例えば、図１に示されるように、天井１９０に設けられた埋込孔１５５に取り付けられる。図３は、照明器具１００が天井１９０に取り付けられた状態の断面図である。
【００３２】
図３に示されるように、照明器具１００が埋込孔１５５に取り付けられた状態において、第１の筐体１２０、第２の筐体１３０、および、取り付け部１５０は、天井裏の空間に埋め込まれる。また、器具本体１１０の一部についても、天井裏の空間に埋め込まれる。すなわち、照明器具１００は、少なくとも一部が構造物内の空間に埋め込まれた状態で、埋込孔１５５に取り付けられる。
【００３３】
以下、図１〜図３を参照しながら、照明器具１００の構成について詳細に説明する。
【００３４】
照明器具１００は、無線信号の送受信機能を有する照明器具である。ユーザは、照明器具１００をリモートコントローラ等により無線制御（点灯および消灯）することができる。
【００３５】
器具本体１１０は、略円錐台形の筐体と、筐体内部に設けられた光源１２５とからなる。器具本体１１０の筐体の外周面には、外側に向けて突出する複数の放熱フィン１３５が設けられている。また、器具本体１１０の外周面には、取り付け用バネ１４０が取り付けられている。
【００３６】
光源１２５は、発光素子を有する発光モジュールであって、所定の光を放出する。実施の形態１では、光源１２５は、基板上に直接ＬＥＤチップが実装されたＣＯＢ（Ｃｈｉｐ  Ｏｎ  Ｂｏａｒｄ）型の発光モジュールであるが、このような構成に限定されるものではない。例えば、光源１２５は、発光素子として、いわゆるＳＭＤ（Ｓｕｒｆａｃｅ  Ｍｏｕｎｔ  Ｄｅｖｉｃｅ）型のＬＥＤ素子が用いられた発光モジュールであってもよい。ＳＭＤ型のＬＥＤ素子とは、具体的には、樹脂成型されたキャビティの中にＬＥＤチップが実装され、当該キャビティ内に蛍光体含有樹脂が封入されたパッケージ型のＬＥＤ素子である。また、光源１２５が有する発光素子は、例えば、半導体レーザ等の半導体発光素子、または、有機ＥＬ（Ｅｌｅｃｔｒｏ  Ｌｕｍｉｎｅｓｃｅｎｃｅ）や無機ＥＬ等のＥＬ素子等その他の固体発光素子であってもよい。
【００３７】
取り付け用バネ１４０は、器具本体１１０の外周面に固定され、外向きに付勢されており、照明器具１００（器具本体１１０）の埋込孔１５５への取り付けに用いられる。
【００３８】
第１の筐体１２０は、光源１２５に電力を供給する電源回路を覆う。言い換えれば、第１の筐体１２０は、電源回路を収容する。第１の筐体１２０は、電源回路の発火等の事故防止の観点から、典型的には、鉄、アルミニウムなどの金属で構成される。第１の筐体１２０は、本体部１２０ｂと、板状部１２０ａとからなる。
【００３９】
本体部１２０ｂは、電源回路を収容する略直方体の筐体である。
【００４０】
板状部１２０ａは、第１の筐体１２０のうち本体部１２０ｂの一部から延出した部分である。板状部１２０ａには、第１の筐体１２０を構造物（造営材）の面に固定するためにネジが挿入される開口が設けられる。板状部１２０ａは、図３に示されるように、主面が天井１９０に接した状態でネジ止めされる。
【００４１】
第２の筐体１３０は、略直方体形状の筐体であり、アンテナ部と、無線制御部とを覆う。言い換えれば、第２の筐体１３０は、アンテナ部と、無線制御部とを収容する。第２の筐体１３０は、アンテナ部の無線信号の送受信を妨げないように、樹脂などの絶縁材料で構成される。なお、第２の筐体１３０の大きさは、第１の筐体１２０の大きさよりも小さい。
【００４２】
第２の筐体１３０は、実施の形態１では、第１の筐体１２０の板状部１２０ａに配置されるが、その他の場所に配置されてもよい。また、第２の筐体１３０は、必ずしも第１の筐体１２０と接して設けられる必要はない。
【００４３】
取り付け部１５０は、交流電力の供給元であるケーブル１４５（図１にのみ図示）に接続される。また、取り付け部１５０は、ケーブル１４５から取得した交流電力を第１の筐体１２０内の電源回路に給電する。取り付け部１５０は、第１の筐体１２０の長手方向の一端に設けられる。
【００４４】
ケーブル１６０は、第１の筐体１２０内の電源回路が、器具本体１１０内の光源１２５に電力を供給するためのケーブルである。
【００４５】
ケーブル１７０は、第１の筐体１２０内の電源回路が、第２の筐体１３０内の無線制御部に直流電力を供給するためのケーブルである。
【００４６】
なお、実施の形態１では、照明器具１００は、取り付け部１５０から埋込孔１５５に挿入される。つまり、照明器具１００は、第１の筐体１２０の長手方向の一端から埋込孔１５５に挿入される。
【００４７】
次に、照明器具１００の機能構成と、第２の筐体１３０内部の構造について説明する。
【００４８】
図４は、照明器具１００の機能構成を示すブロック図である。
【００４９】
照明器具１００は、電源回路２２０、アンテナ部２３０、無線制御部２１０、および点灯回路１０５を有する電源装置２００と、光源１２５を有する器具本体１１０とを備える。
【００５０】
電源回路２２０は、光源１２５に電力を供給する。電源回路２２０は、具体的には、ケーブル１４５から取り付け部１５０に供給される交流電力を点灯回路１０５の駆動に適した直流電力に変換する。点灯回路１０５は、電源回路２２０から供給される直流電力によって動作し、光源１２５を発光させるための電力をケーブル１６０を通じて出力する。なお、電源回路２２０は、無線制御部２１０に対しても直流電力を供給する。
【００５１】
電源回路２２０は、例えば、交流電力を直流電力に変換するダイオードブリッジ型の整流回路と、ＤＣ−ＤＣコンバータとによって構成される。なお、電源回路２２０は、整流回路およびＤＣ−ＤＣコンバータと同等の機能を有する１つのＩＣで実現されてもよい。また、電源回路２２０は、その他の回路構成であってもよい。なお、電源回路２２０は、上述のように第１の筐体１２０（本体部１２０ｂ）内に収容される。
【００５２】
点灯回路１０５は、光源１２５を駆動させるための回路であり、第１の筐体１２０内に収容される。なお、点灯回路１０５は、器具本体１１０内に収容されてもよい。また、点灯回路１０５は、電源回路２２０の一部として構成されてもよい。
【００５３】
アンテナ部２３０および無線制御部は、第２の筐体１３０内に収容される。図５は、第２の筐体１３０の内部構造を示す模式図である。アンテナ部２３０は、無線信号を送受信するためのパターンアンテナである。すなわち、図５の（ａ）に示されるように、アンテナ部２３０は、実施の形態１では、基板２４０上に実装された導電パターンである。アンテナ部２３０がパターンアンテナとして基板上に実装されることで、アンテナ部２３０の小型化が実現される。
【００５４】
なお、アンテナ部２３０は、無線信号の送信および受信の少なくとも一方を行うアンテナであればよく、パターンアンテナに限定されるものではない。例えば、アンテナ部２３０は、チップアンテナなど、無線信号を送信または受信できるものであればよい。なお、アンテナ部２３０は、図５の（ａ）に示されるように第２の筐体１３０によって覆われる。
【００５５】
無線制御部２１０は、アンテナ部２３０による無線信号の送信または受信の制御を行う、いわゆる無線モジュール（集積回路）である。具体的には、無線制御部２１０は、アンテナ部２３０がリモートコントローラから受信した無線信号に基づいて点灯回路１０５を制御し、光源１２５を点灯または消灯させる。また、無線制御部２１０は、アンテナ部２３０に無線信号を送信させる。
【００５６】
無線制御部２１０は、コネクタ２３５に接続されたケーブル１７０を介して電源回路２２０から供給される直流電力によって動作する。なお、実施の形態１では、無線制御部２１０と、アンテナ部２３０が同一の基板２４０上に実装されているため、ケーブル１７０として高周波用の高価なケーブルが用いられる必要はない。
【００５７】
実施の形態１では、アンテナ部２３０が送信または受信する無線信号の周波数帯は、ＵＨＦ（Ｕｌｔｒａ  Ｈｉｇｈ  Ｆｒｅｑｕｅｎｃｙ）帯またはＳＨＦ（Ｓｕｐｅｒ  Ｈｉｇｈ  Ｆｒｅｑｕｅｎｃｙ）帯である。
【００５８】
実施の形態１では、無線制御部２１０は、ＷＰＡＮ（Ｗｉｒｅｌｅｓｓ  Ｐｅｒｓｏｎａｌ  Ａｒｅａ  Ｎｅｔｗｏｒｋ）の標準規格の一つであるＺｉｇＢｅｅ（登録商標）を用いて通信を行う。なお、無線制御部２１０の通信方法は、これに限定されない。無線制御部２１０は、Ｂｌｕｅｔｏｏｔｈ（登録商標）や、無線ＬＡＮ（Ｌｏｃａｌ  Ａｒｅａ  Ｎｅｔｗｏｒｋ）を用いて通信を行ってもよい。
【００５９】
無線制御部２１０は、図５の（ａ）に示されるように第２の筐体１３０によって覆われる。
【００６０】
なお、第２の筐体１３０は、図５の（ａ）に示されるように、必ずしもアンテナ部２３０および無線制御部２１０の全部を覆う必要はない。
【００６１】
例えば、図５の（ｂ）に示されるように、アンテナ部２３０および無線制御部２１０のカバーとして第２の筐体１３０が用いられてもよい。第２の筐体１３０と、基板２４０とでアンテナ部２３０および無線制御部２１０を覆う構成であってもよい。
【００６２】
また、図３に示されるように、本体部１２０ｂが天井１９０に取り付けられた状態において、本体部１２０ｂと天井の上面との間に隙間が設けられてもよい。この場合、本体部１２０ｂの下側に第２の筐体１３０が取り付けられ、第２の筐体１３０が上記隙間に配置されることで、省スペース化を実現することができる。
【００６３】
以上説明したように、照明器具１００では、アンテナ部２３０および無線制御部２１０は、金属製の第１の筐体１２０の外部に設けられた、樹脂製の第２の筐体１３０により覆われる。
【００６４】
これにより、アンテナ部２３０が送受信する無線信号が反射されにくいため、アンテナ部２３０の送受信性能を確保することができる。また、第２の筐体１３０によりアンテナ部２３０が覆われることで、施工時（照明器具１００の取り付け時）にアンテナが埋込孔１５５の内周面やその他の構造物（天井裏に設けられた配管など）に接触して損傷する危険性を低減できる。
【００６５】
また、アンテナ部２３０および無線制御部２１０が第１の筐体１２０に覆われる場合に比べて、アンテナ部２３０および無線制御部２１０と、電源回路２２０との距離が保たれる。このため、アンテナ部２３０および無線制御部２１０に対する電源回路２２０からのノイズの影響等が軽減される。
【００６６】
また、実施の形態１では、第２の筐体１３０は、第１の筐体１２０のうちの板状部１２０ａに配置される。そして、板状部１２０ａは、第１の筐体１２０のうち、第１の筐体１２０の長手方向の他端（上記一端とは反対側の端）に相当する部分である。第１の筐体１２０は、長手方向の一端から埋込孔１５５に挿入されるため、第２の筐体１３０が、第１の筐体１２０の長手方向の他端に相当する位置に設けられることで、第１の筐体１２０の埋込孔への挿入時に、第２の筐体１３０が挿入の妨げとならない効果がある。つまり、第２の筐体１３０が、第１の筐体１２０の長手方向の他端に相当する位置に設けられることで、照明器具１００の施工性が改善される。
【００６７】
（実施の形態２）
実施の形態２では、第１の筐体１２０について、実施の形態１と異なる形態について説明する。なお、実施の形態２では、実施の形態１と実質的に同一の構成要素については、その説明が省略される場合がある。
【００６８】
図６は、実施の形態２に係る第１の筐体１２０および第２の筐体１３０を模式的に示す図である。図６の（ａ）は、第１の筐体１２０を上面側から見た図であり、図６の（ｂ）は、第１の筐体１２０を側面側から見た図であり、図６の（ｃ）は、第１の筐体１２０を下面側（光出射側）から見た図である。なお、ここで、第１の筐体１２０の下面とは、図６の（ｂ）に示されるように、第１の筐体１２０が天井１９０に取り付けられた状態において天井１９０と対向する面（接触面）であり、第１の筐体１２０の上面は、下面と反対側の面である。また、図６の（ｂ）および（ｃ）では、取り付け部１５０については記載が省略されている。
【００６９】
図６に示されるように、実施の形態２に係る第１の筐体１２０は、本体部１２０ｂと、板状部１２０ａと、板状部１２０ｃとからなる。
【００７０】
本体部１２０ｂは、電源回路２２０を覆う。電源回路２２０は、実施の形態１と同様に、取り付け部１５０に供給される交流電力を直流電力に変換し、変換した直流電力をケーブル１６０を通じて器具本体１１０に出力する。
【００７１】
板状部１２０ｃは、第１の筐体１２０の本体部１２０ｂの長手方向の一端に相当する部分であり、第１の筐体１２０のうち本体部１２０ｂの一部から延出した板状の部分である。
【００７２】
板状部１２０ｃには、取り付け部１５０が設けられ、第１の筐体１２０は、板状部１２０ｃから埋込孔１５５に挿入され天井裏の空間に埋め込まれる。
【００７３】
板状部１２０ａは、第１の筐体１２０の本体部１２０ｂの長手方向の他端に相当する部分であり、第１の筐体１２０のうち本体部１２０ｂの一部から延出した板状の部分である。
【００７４】
板状部１２０ａの上面には、アンテナ部２３０および無線制御部２１０（図示せず）を覆う、第２の筐体１３０が配置される。ここで、板状部１２０ａを上面側または下面側から見た場合、すなわち、板状部１２０ａの主面に垂直な方向から見た場合、板状部１２０ａのうちアンテナ部２３０に重なり合う部分には、切り欠き部２５０が設けられる。すなわち、図６の（ｃ）に示されるように、第１の筐体１２０を下面側から見た場合、切り欠き部２５０を通じて第２の筐体１３０を視認することができる。
【００７５】
以下、切り欠き部２５０について詳細に説明する。
【００７６】
図７は、切り欠き部２５０の周辺部分の拡大図である。図７の（ａ１）および（ｂ１）は、第２の筐体１３０が取り付けられていない場合の切り欠き部２５０周辺の拡大図であり、図７の（ａ１）は、第１の筐体１２０を上面側から見た図であり、図７の（ｂ１）は、第１の筐体１２０を側面側から見た図である。一方、図７の（ａ２）および（ｂ２）は、第２の筐体１３０が取り付けられている場合の切り欠き部２５０周辺の拡大図であり、図７の（ａ２）は、第１の筐体１２０を上面側から見た図であり、図７の（ｂ２）は、第１の筐体１２０を側面側から見た図である。
【００７７】
図７の（ａ１）に示されるように、切り欠き部２５０は、板状部１２０ａの角部分に設けられる。図７の（ａ１）では、切り欠き部２５０は、直方体形状の空間であるが、その他の形状であってもよい。
【００７８】
また、図７の（ａ２）に示されるように、板状部１２０ａを上面側から見た場合、切り欠き部２５０は、アンテナ部２３０に重なり合う。これにより、図７の（ｂ２）に示されるように、アンテナ部２３０と、天井１９０の間には、隙間が設けられる。なお、隙間の厚みは、板状部１２０ａの厚みＬと同一となる。
【００７９】
上述のように第１の筐体１２０は、典型的には、金属で構成される。そして、アンテナ部２３０は、典型的には、室内に設けられたリモートコントローラと無線信号の送受信を行う。ここで、切り欠き部２５０が設けられない場合、リモートコントローラとアンテナ部２３０との間に金属製の板状部１２０ａが介在し、アンテナ部２３０の送受信性能が低下する。しかしながら、切り欠き部２５０が設けられる場合、リモートコントローラとアンテナ部２３０との間に少なくとも金属製の板状部１２０ａは介在しないため、アンテナ部２３０の送受信性能を確保しやすい。
【００８０】
また、天井１９０は、その材質によっては誘電体として機能する場合があり、アンテナ部２３０の近くに設けられることによって、無線信号の周波数（共振周波数）の変動など、アンテナ部２３０が悪影響を受ける場合がある。切り欠き部２５０が設けられることで、アンテナ部２３０と、天井１９０の間には、隙間が設けられ、アンテナ部２３０と、天井１９０との距離が確保される。つまり、切り欠き部２５０によって、このようなアンテナ部２３０への悪影響を低減できる。
【００８１】
なお、切り欠き部２５０は、板状部１２０ａのうち角部分以外の場所に設けられてもよい。切り欠き部２５０は、板状部１２０ａのうちアンテナ部２３０に重なり合う部分に設けられればよい。
【００８２】
また、切り欠き部２５０に代えて開口が設けられてもよい。つまり、板状部の主面に垂直な方向から見た場合、板状部１２０ａのうちアンテナ部２３０に重なり合う部分には、開口が設けられてもよい。
【００８３】
また、板状部１２０ａは、第２の筐体１３０を回転可能な状態で保持してもよい。すなわち、板状部１２０ａには、第２の筐体１３０内のアンテナ部２３０（第２の筐体１３０）の方向を調整できる機構が設けられてもよい。
【００８４】
図８は、第２の筐体１３０を回転可能な状態で保持する板状部１２０ａの一例を示す図である。
【００８５】
図８の（ａ）に示されるように、第２の筐体１３０は、ピン１８０によって板状部１２０ａに保持されている。ここで、第２の筐体１３０は、ピン１８０の位置を支点として、図８の（ｂ）に示されるように回転可能である。すなわち、板状部１２０ａは、第２の筐体１３０を回転可能な状態で保持している。なお、図８の（ｂ）では、板状部１２０ａの主面に垂直な方向から見た場合、板状部１２０ａとアンテナ部２３０とは重なり合わない。
【００８６】
このように、板状部１２０ａが、第２の筐体１３０を回転可能な状態で保持することによって、第２の筐体１３０内のアンテナ部２３０の感度を調節することが容易となる。
【００８７】
なお、第２の筐体１３０は、例えば、ピン１８０に代えてネジやフックなどで板状部１２０ａに保持されてもよい。第２の筐体１３０の方向を変更できる態様であれば、第２の筐体１３０は、どのような態様で保持されてもよい。
【００８８】
（その他の実施の形態）
以上、実施の形態１および２に係る照明器具について説明したが、本発明は、このような実施の形態に限定されるものではない。
【００８９】
例えば、無線制御部は、第２の筐体１３０内ではなく、第１の筐体１２０内に設けられてもよい。
【００９０】
図９は、無線制御部２１０が第１の筐体１２０内に設けられる場合の照明器具の機能構成を示すブロック図である。
【００９１】
図９に示される照明器具１００ａのような構成であっても、アンテナ部２３０が送受信する無線信号が反射されにくいため、アンテナ部２３０の送受信性能を確保することができる。
【００９２】
また、図６を用いて説明した構成において、第２の筐体１３０は、板状部１２０ｃの主面上に配置されてもよい。
【００９３】
図１０は、図６において第２の筐体１３０が板状部１２０ｃに配置される場合の、第１の筐体１２０および第２の筐体１３０を模式的に示す図である。図１０の（ａ）は、第１の筐体１２０を上面側から見た図であり、図１０の（ｂ）は、第１の筐体１２０を側面側から見た図であり、図１０の（ｃ）は、第１の筐体１２０を下面側（光出射側）から見た図である。なお、図１０の（ｂ）および（ｃ）では、取り付け部１５０については記載が省略されている。
【００９４】
図１０では、第２の筐体１３０は、第１の筐体１２０のうちの板状部１２０ｃに配置される。そして、板状部１２０ｃは、第１の筐体１２０のうち、第１の筐体１２０の長手方向の一端に相当する部分である。第１の筐体１２０は、長手方向の一端から埋込孔１５５に挿入されるため、第２の筐体１３０が、第１の筐体１２０の長手方向の一端に相当する位置に設けられることで、第１の筐体１２０の埋込孔への挿入時に、第２の筐体１３０が挿入の妨げとならない効果がある。つまり、第２の筐体１３０が、第１の筐体１２０の長手方向の一端に相当する位置に設けられることで、照明器具１００の施工性が改善される。
【００９５】
また、第２の筐体１３０が板状部１２０ａに配置される場合よりも、第２の筐体１３０と、器具本体１１０との距離が遠いため、アンテナ部２３０と、器具本体１１０との距離が保たれる。このため、アンテナ部２３０に対する器具本体１１０発熱やノイズの影響等が軽減される。
【００９６】
なお、図１０においても、板状部１２０ｃのうち、アンテナ部２３０に重なり合う部分には、切り欠き部２６０が設けられている。切り欠き部２６０は、実施の形態２で説明した切り欠き部２５０と同様の効果を奏する。
【００９７】
なお、上記実施の形態では、第２の筐体１３０は、第１の筐体１２０のうちの板状部１２０ａ（または１２０ｃ）に設けられたが、第２の筐体１３０と、第１の筐体１２０との位置関係は、このような配置に限定されるものではない。
【００９８】
例えば、第２の筐体１３０に設けられた板状部に第１の筐体１２０が配置されてもよい。また、他の接続部材によって第１の筐体１２０と第２の筐体１３０との位置関係が固定されてもよい。また、第２の筐体１３０は、第１の筐体１２０ではなく、器具本体１１０に配置されてもよい。
【００９９】
また、本発明は、電源装置２００として実現されてもよい。この場合、電源装置２００は、光源に電力を供給する電源回路２２０を覆う、第１の筐体１２０と、無線信号を送信または受信するアンテナ部２３０を覆う、第１の筐体１２０の外部に配置された第２の筐体１３０とを備える。
【０１００】
なお、照明器具１００の無線制御は、照明器具１００の点灯または消灯に用いられることに限定されるものではない。例えば、照明器具１００は、無線制御によって調光や調色を行う機能を備えていてもよい。
【０１０１】
なお、本発明は、これらの実施の形態またはその変形例に限定されるものではない。本発明の趣旨を逸脱しない限り、当業者が思いつく各種変形を本実施の形態またはその変形例に施したもの、あるいは異なる実施の形態またはその変形例における構成要素を組み合わせて構築される形態も、本発明の範囲内に含まれる。
【符号の説明】
【０１０２】
１００、１００ａ  照明器具
１０５  点灯回路
１１０  器具本体
１２０  第１の筐体
１２０ａ、１２０ｃ  板状部
１２０ｂ  本体部
１２５  光源
１３０  第２の筐体
１３５  放熱フィン
１４０  取り付け用バネ
１４５、１６０、１７０  ケーブル
１５０  取り付け部
１５５  埋込孔
１８０  ピン
１９０  天井
２００  電源装置
２１０  無線制御部
２２０  電源回路
２３０  アンテナ部
２３５  コネクタ
２４０  基板
２５０、２６０  切り欠き部
【図１】
2015037042.tif 000003
【図２】
2015037042.tif 000004
【図３】
2015037042.tif 000005
【図４】
2015037042.tif 000006
【図５】
2015037042.tif 000007
【図６】
2015037042.tif 000008
【図７】
2015037042.tif 000009
【図８】
2015037042.tif 000010
【図９】
2015037042.tif 000011
【図１０】
2015037042.tif 000012